(57)【特許請求の範囲】
【請求項１】
コンベヤであって、１以上のコンベヤベルトと、複数のローラと、ベアリング表面とを備え、
前記１以上のコンベヤベルトは、縦方向にベルト移動の方向に延び且つ横方向に第１の側部から第２の側部へ幅方向に延びた連続搬送表面を形成し、更に該連続搬送表面に対向した裏面を形成し、
前記複数のローラは、前記１以上のコンベヤベルト内に配置され、該ローラの突出部は、前記連続搬送表面及び裏面を超えて突出し、
前記ベアリング表面は、前記１以上のコンベヤベルト下に横たわり、前記ローラの突出部は、前記裏面を超えて突出して、１以上のコンベヤベルトが縦方向にベルト移動の方向に進行するに従いベアリング表面と回転接触し、
前記１以上のコンベヤベルトは、該横方向に１以上の縦方向レーンに分割され、１つの縦方向レーン内の全ローラは、ベルト移動の方向から同じ方向に測定された少なくとも２つの異なる鋭角を形成する傾斜軸を支えとして回転するように配置されていることを特徴とするコンベヤ。
【請求項２】
１つの縦方向レーン内で傾斜軸を規定する少なくとも２つの異なる前記鋭角は、その縦方向レーンを横切り、１以上のコンベヤベルトの幅に沿って単調に変化する請求項１に記載のコンベヤ。
【請求項３】
前記１以上のコンベヤベルトは、第１の側部から横方向に第１及び第２の側部の実質的に中間まで延びた第１の縦方向レーンと、第２の側部から横方向に第１の縦方向レーンまで延びた第２の縦方向レーンとに分割され、前記第１の縦方向レーン内のローラの傾斜軸の鋭角は、該第２の縦方向レーン内のローラの傾斜軸の角度の鏡像である請求項１に記載のコンベヤ。
【請求項４】
前記１以上のコンベヤベルトは、第１の側部から横方向に第１及び第２の側部の実質的に中間まで延びた第１の縦方向レーンと、第２の側部から横方向に第１の縦方向レーンまで延びた第２の縦方向レーンとに分割され、各第１及び第２の縦方向レーン内のローラの傾斜軸の鋭角は、それぞれ１以上のコンベヤベルトの第１及び第２の側部からの距離に従い単調に増加する請求項１に記載のコンベヤ。
【請求項５】
前記１以上のコンベヤベルトの第１及び第２の側部に近い位置のローラは、該第１及び第２の側部間で１以上のコンベヤベルトの中間部に近い位置のローラよりも多くの力の横方向成分を被搬送物品に与えるように方位付けされた軸を支えとして回転する請求項１に記載のコンベヤ。
【請求項６】
コンベヤであって、１以上のコンベヤベルトと、複数のローラと、ベアリング表面とを備え、
前記１以上のコンベヤベルトは、縦方向にベルト移動の方向に延び且つ横方向に第１の側部から第２の側部へ幅方向に延びた連続搬送表面を形成し、更に該連続搬送表面に対向した裏面を形成し、
前記複数のローラは、前記１以上のコンベヤベルト内に配置され、該ローラの突出部は、前記連続搬送表面及び裏面を超えて突出し、
前記ベアリング表面は、前記１以上のコンベヤベルト下に横たわり、前記ローラの突出部は、前記裏面を超えて突出して、１以上のコンベヤベルトが縦方向にベルト移動の方向に進行するに従いベアリング表面と回転接触し、
前記ローラは、ベルト移動の方向から同じ方向に測定された少なくとも２つの異なる鋭角を形成する傾斜軸を支えとして回転するように配置され、前記１以上のコンベヤベルトの第１及び第２の側部の中間にある縦方向中心線から測定された各ローラに対する鋭角は、関数α（ｗ）によって記述され、ｗはベルトの幅Ｗを横切るローラの横方向位置であり、第１の側部（ｗ＝−Ｗ／２）と第２の側部（ｗ＝＋Ｗ／２）との間の縦方向中心線（ｗ＝０）から測定されたものであることを特徴とするコンベヤ。
【請求項７】
前記関数α（ｗ）の大きさ（｜α（ｗ）｜）は、前記コンベヤベルトの第１の側部からの距離に従い第２の端部の最大値まで単調に増加する請求項６に記載のコンベヤ。
【請求項８】
前記関数α（ｗ）の大きさ（｜α（ｗ）｜）は、前記コンベヤベルトの第１及び第２の側部から中心線までの距離に従い単調に増加する請求項６に記載のコンベヤ。
【請求項９】
前記関数α（ｗ）は、ｗ＜０では０°と−９０°の間にあり、そしてｗ＞０では＋９０°と０°の間にある請求項６に記載のコンベヤ。
【請求項１０】
前記関数α（ｗ）が、α（ｗ）＝−α（−ｗ）の関係である請求項６に記載のコンベヤ。
【請求項１１】
前記関数α（ｗ）は、ｗ＜０に対して少なくとも２つの離散値を有し、またｗ＞０に対して少なくとも２つの離散値を有する請求項６に記載のコンベヤ。
【請求項１２】
前記関数α（ｗ）は、コンベヤの幅を横切って少なくとも１回それ自身を繰り返すｗの周期的関数である請求項６に記載のコンベヤ。
【請求項１３】
コンベヤであって、１以上のコンベヤベルトと、複数のローラと、ベアリング表面とを備え、
前記１以上のコンベヤベルトは、縦方向にベルト移動方向に延び且つ横方向に第１の側部から第２の側部へ幅方向に延びた連続搬送表面を形成し、更に該連続搬送表面に対向した裏面を形成し、
前記複数のローラは、前記１以上のコンベヤベルト内に配置され、該ローラの突出部は、前記連続搬送表面及び裏面を超えて突出し、
前記ベアリング表面は、前記１以上のコンベヤベルト下に横たわり、前記ローラの突出部は、前記裏面を超えて突出してベアリング表面と回転接触し、１以上のコンベヤベルトとベアリング表面との間の相対運動は、ローラを回転させ、
該ローラは、回転するように配置されて、ベルト移動方向に対して傾けられた少なくとも３つの異なる方向の力ベクターを、前記連続搬送表面を超えて突出したローラの突出部上を搬送される物品に加えることを特徴とするコンベヤ。
【請求項１４】
前記１以上のコンベヤベルトの第１の側部に近いローラは、第２の側部に向けられた成分を持つ力ベクターを加える請求項１３に記載のコンベヤ。
【請求項１５】
前記１以上のコンベヤベルトの第２の側部に近いローラは、第１の側部に向けられた成分を持つ力ベクターを加える請求項１４に記載のコンベヤ。
【請求項１６】
前記１以上のコンベヤベルトの第１の側部に近いローラによって与えられる力ベクターは、第２の側部に近いローラによって与えられる力ベクターの鏡像である請求項１３に記載のコンベヤ。
【請求項１７】
前記力ベクターは、前記１以上のコンベヤベルトの幅を横切るそれらの関連したローラの位置に従い方向を変化する請求項１３に記載のコンベヤ。
【請求項１８】
前記ローラは、それらの力ベクターに概ね直交した回転の軸を有すると共に縦方向の列に配列され、１つの列内の全ローラは平行な回転軸を持つ請求項１３に記載のコンベヤ。
【請求項１９】
コンベヤであって、モジュール式コンベヤベルトと、複数のローラと、ベアリング表面とを備え、
前記モジュール式コンベヤベルトは、一連の行の１以上のベルトモジュールを有し、これら行は、縦方向にベルト移動の方向に第１の端部から第２の端部へ延びると共にヒンジジョイントで第１の端部と第２の端部が一緒に接続されてモジュール式コンベヤベルトを形成し、該モジュール式コンベヤベルトは、横方向に第１の側部から第２の側部へ幅方向に延び且つ厚さ方向に外面から内面へ延びると共に、第１及び第２の側部の中間の縦方向中心線によって規定され、
前記複数のローラは、縦方向レーンの少なくともいくつかに配設されると共に、ベルトの外面及び内面を超えて突出した突出部を有し、
前記ベアリング表面は、前記モジュール式コンベヤベルト下に横たわり、前記ローラの突出部は、内面を超えて突出して、モジュール式コンベヤベルトが縦方向にベルト移動の方向に進行するに従いベアリング表面と回転接触し、
前記ローラは、縦方向中心線との間に少なくとも３つの区別される鋭角を規定する軸を支えとして回転するように配置されていることを特徴とするコンベヤ。
【請求項２０】
モジュール式コンベヤベルトであって、一連の行の１以上のベルトモジュールと、複数のローラと、ベアリング表面とを備え、
前記一連の行の１以上のベルトモジュールは、縦方向にベルト移動の方向に第１の端部から第２の端部へ延びると共にヒンジジョイントで第１の端部と第２の端部が一緒に接続されてモジュール式コンベヤベルトとなり、該モジュール式コンベヤベルトは、横方向に第１の側部から第２の側部へ幅方向に延び且つ厚さ方向に外面から内面へ延びると共に、第１及び第２の側部の中間の縦方向中心線によって規定され、
前記複数のローラは、縦方向レーンの少なくともいくつかに配設されると共に、ベルトの外面及び内面を超えて突出した突出部を有し、
前記ベアリング表面は、前記ベルトモジュールの下に横たわり、前記ローラの突出部は、ベルトの内面を超えて突出して、ベルトモジュールが縦方向にベルト移動の方向に進行するに従いベアリング表面と回転接触し、
前記ローラは、縦方向中心線との間に少なくとも３つの区別される鋭角を規定する軸を支えとして回転するように配置されていることを特徴とするモジュール式コンベヤベルト。
【請求項２１】
前記縦方向中心線の一方の側のローラの軸は、中心線の他方の側のローラの軸の鏡像である請求項２０に記載のモジュール式コンベヤベルト。
【請求項２２】
前記縦方向中心線の一方の側のローラの軸は、２つの鋭角を規定し、またベルトの第１の側部に近いローラの軸は、縦方向中心線に近いローラの軸によって規定される第２の鋭角よりも小さい第１の鋭角を規定する請求項２０に記載のモジュール式コンベヤベルト。
【請求項２３】
前記縦方向中心線とローラの軸によって規定される鋭角は、ベルトの幅を横切るローラの横方向位置に従い変化する請求項２０に記載のモジュール式コンベヤベルト。
【発明の詳細な説明】
【技術分野】
【０００１】
［背景］
この発明は、一般に動力駆動式コンベヤに関し、特にベルト移動の方向に対し複数の角度で方位付けされた軸を支えとして回転するように配置された物品支持ローラを有した１以上のコンベヤベルトからなるコンベヤに関する。
【０００２】
シンギュレート式コンベヤは、被搬送物品の大量の流れを、流れの方向に分離された個別物品の単一ストリームに変換することに使用される。種々構成のローラコンベヤは、関連したコンベヤベルト付き／無しで、この目的のためにしばしば使用される。しかし、ローラコンベヤは、良く知られているように騒々しく、しかも摩耗する。モジュール式ローラトップコンベヤベルトもまた、被搬送物品の集団を分散する必要のある応用に使用されている。特に、流れの方向に対し傾斜された軸を中心として回転するように配置されたローラ付きのモジュール式ローラトップコンベヤベルトは、被搬送物品をベルトの側部又は中心に向けて、より高速に駆動される下流又は中央のコンベヤベルトへ配送することに使用され、これにより物品を互いに分離する。しかし、これらの方式は、異なるスピードで駆動される複数の直列ベルト又は並列ベルトの使用を必要とするので、複雑な駆動アセンブリ及びベルト配置を助長する。
【０００３】
かくして、従来のシンギュレート式コンベヤの欠点なしに物品の大量の流れを分散可能なコンベヤシステムに対する要求がある。
【０００４】
［要約］
この要求及び他の要求は、発明の特徴を具体化したコンベヤ及びモジュール式コンベヤベルトによって満たされる。そのようなコンベヤの１つのバージョンは、縦方向にベルト移動の方向に延び且つ横方向に第１の側部から第２の側部へ幅方向に延びた連続搬送表面を形成する１以上のコンベヤベルトを備える。搬送表面に対向して裏面が形成される。１以上のコンベヤベルト内のローラは、搬送表面及び裏面を超えて突出した突出部を有する。１以上のコンベヤベルト下には、ベアリング表面が横たわる。裏面を超えて突出したローラの突出部は、１以上のベルトがベルト移動の方向に進行するに従い、ベアリング表面上を回転接触式に回転する。１以上のコンベヤベルトは、横方向に１以上の縦方向レーンに分割されている。１つのレーン内の全ローラは、ベルト移動の方向から同じ方向に測定された少なくとも２つの異なる鋭角を形成する傾斜軸を中心として回転するように配置されている。
【０００５】
コンベヤのもう１つのバージョンは、縦方向にベルト移動の方向に延び且つ横方向に第１の側部から第２の側部へ延びた連続搬送表面を形成する１以上のコンベヤベルトを備える。搬送表面に対向して裏面が形成される。ローラは、１以上のコンベヤベルト内に配置され、ローラの突出部は、１以上のベルトの連続搬送表面及び裏面を超えて突出する。１以上のコンベヤベルト下には、ベアリング表面が横たわる。裏面を超えて突出したローラの突出部は、１以上のコンベヤベルトがベルト移動の方向に進行するに従いベアリング表面上を回転接触式に回転する。ローラは、ベルト移動の方向から同じ方向に測定された少なくとも２つの異なる鋭角を形成する傾斜軸を中心として回転するように配置されている。各ローラの第１及び第２の側部の中間にある縦方向中心線から測定された鋭角は、関数α（ｗ）によって記述される。ここで、ｗはベルトの幅Ｗを横切るローラの横方向位置であり、第１の側部（ｗ＝−Ｗ／２）と第２の側部（ｗ＝＋Ｗ／２）との間の中心線（ｗ＝０）から測定されたものである。
【０００６】
コンベヤの異なるバージョンは、縦方向に輸送方向に延び且つ横方向に第１の側部から第２の側部へ幅方向に延びた連続搬送表面を形成する１以上のコンベヤベルトを備える。搬送表面に対向して裏面が形成される。ローラは、１以上のコンベヤベルト内に配置され、突出部は、搬送表面及び裏面を超えて突出する。１以上のコンベヤベルト下に、ベアリング表面が横たわる。裏面を超えて突出したローラの突出部は、ベアリング表面と回転接触している。１以上のコンベヤベルトとベアリング表面との間の相対運動は、ローラを回転させる。ローラは、回転するように配置されて、輸送方向に対し傾けられた少なくとも３つの異なる方向の力ベクターを、コンベヤ表面を超えて突出したローラの突出部上を搬送される物品に加える。
【０００７】
コンベヤの別のバージョンは、一連の行の１以上のベルトモジュールからなるモジュール式コンベヤベルトを備える。各行は、縦方向にベルト移動の方向に第１の端部から第２の端部へ延びる。これらの行は、ヒンジジョイントで第１の端部と第２の端部が一緒に接続されてモジュール式コンベヤベルトを形成する。このモジュール式コンベヤベルトは、横方向に第１の側部から第２の側部へ幅方向に延び且つ厚さ方向に外面から内面へ延びる。このベルトは、更に第１及び第２の側部の中間の縦方向中心線によって規定される。前記列の少なくともいくつかに配設されたローラは、ベルトの外面及び内面を超えて突出した突出部を有する。モジュール式コンベヤベルト下には、ベアリング表面が横たわる。内面を超えて突出したローラの突出部は、モジュール式コンベヤベルトが縦方向にベルト移動の方向に進行するに従いベアリング表面に沿って回転接触式に回転する。ローラは、縦方向中心線との間に少なくとも３つの明瞭に区別される鋭角を規定する軸を支えとして回転するように配置されている。
【０００８】
発明のこれらの特徴及び形態は、その利点と同様に、以下の説明、添付された請求の範囲、及び添付の図面を参照することによって、よりよく理解される。
【０００９】
［詳細な説明］
発明の特徴を具体化したコンベヤが図１に描かれている。この例で示されたコンベヤ１０は、無端コンベヤベルト１２を備える。このベルトは、コンベヤの出口端１６にあるドライブスプロケットセット１４と、コンベヤの入口端１７にあるアイドラスプロケットセット１５との間で形作られている。これらスプロケットセットは、回転用に支持されたシャフト１８及びこれらシャフトの各端部にあるローラベアリング２０上に搭載されている。駆動モータ２２は、ドライブシャフトに結合されて、スプロケットを回転させる。スプロケットの周辺上の係合構造、例えば歯２４は、ベルトの駆動構造と係合して、ベルトを輸送方向、即ち移動の方向２６に駆動及び追跡する。ベルトが平坦ベルトである場合、それはスプロケット駆動される代わりに、ドライブ及びアイドラプーリーによって駆動される。ベルトがドライブ受け入れ構造を有する場合、それは説明されたようにスプロケット駆動されるか、あるいはドラム、例えば電動ドラムによって駆動される。
【００１０】
ベルトは、キャリーウエイパン３０又は他の適切な骨組上の上側キャリーウエイ２８に沿って支持される。このパンの上に支持されたウエアストリップ３２は、縦方向にベルト移動の方向に延び、且つベルトの頂部搬送表面及び逆の裏面から突出したローラ３４の下に横たわる。このウエアストリップは、ベアリング表面を形成する。ローラは、ベルトがベルト移動の方向に進行するに従い、ベアリング表面に沿って回転する。個別のウエアストリップは、連続したウエアシートによって置き換えられてもよい。ローラベアリング２０とキャリーウエイパンは全て、コンベヤフレーム（図面を簡略化するために図示せず）内に搭載される。ベルトは、シュー、ドラム、又はローラ３８上に支持されて、復路４０に沿ったベルトの垂れ下がりを低減する。
【００１１】
単一ベルトであるか又は隣接したベルトの平行配置であるコンベヤベルトは、横方向に第１の側部４２から第２の側部４３へ延びている。ローラ３４は、ベルトの中心線３８との間に異なる鋭角α、α’を形成した傾斜軸３６，３６’を中心として回転する。ベルトの第２の側部４３に近いローラ軸角度は、ベルトの中心線から時計方向に測定される。第１の側部４２近いローラ軸の角度は、反時計方向に測定される。中心線の一方の側のローラ軸は、他方の側のローラ軸の鏡像であることが好ましい。
【００１２】
ベルトは、１以上の平坦ベルトであり得るが、それは、図２に示されているように、１以上のモジュール式プラスチック製コンベヤベルト４４であることが好ましい。（事実、この説明及び請求の範囲で使用されているような総称用語“コンベヤベルト”は、限定することなく、平坦コンベヤベルト、モジュール式プラスチック製コンベヤベルト、単一ストランド型コンベヤチェイン、及びスレート型コンベヤチェインを含む。特定種類のコンベヤベルトが特別な例で意図されている場合、この用語は、その例については限定された意味を明記するように修正される。）ベルトは、隣接する行の間にあるヒンジジョイント５２のヒンジピン５０によって端部間が一緒に接続された一連の行４６の１以上のベルトモジュールからなる。ベルトモジュールの各行の端部に沿ったヒンジ要素５４は、隣接する行のヒンジ要素と各ヒンジジョイントで噛み合う。ヒンジ要素を通る整列された開口は、ヒンジピンを受け入れるための横方向通路５８を形成する。ベルトは、強度のために煉瓦積みパターンに構築されることが好ましいが、行毎に単一モジュールからなることもでき、あるいはベルトの長さに沿って単一縦列に配置された等幅のモジュールを持つこともできる。モジュール式プラスチック製コンベヤベルトは、典型的に熱可塑性プラスチックポリマー、例えばポリプロピレン、ポリエチレン、アセタール、又は複合材料を用いて、射出成型プロセスで製造される。米国ルイジアナ州ハラハンのＩｎｔｒａｌｏｘ社は、モジュール式プラスチック製コンベヤベルトの１つの製造業者である。
【００１３】
図２に示されたモジュール式ベルトのローラ３４は、概ね円筒形状で、ベルトモジュールに形成された凹部６０内に存在する。ローラを通る中心孔は、心棒を受け入れる。この心棒の端部は、ローラベルトの好ましいバージョンでは、凹部の壁面を通してモジュールの内部に埋め込まれている。しかし、ローラは、壁面の回転用ジャーナル開口部内に収容されたスタブを持つように形成され得る。いずれの場合でも、心棒又はスタブは、ベルトの縦方向中心線３８に対し傾斜した回転の軸を規定する。この例のローラは、中心線に対し４つの異なる角度で方位付けされた軸を中心として回転するように配置されている。
【００１４】
ローラのこの配置は、図３Ａにも示されている。この例では、１又は複数のコンベヤベルト６２は、縦方向中心線６６によって分離された２つの縦方向レーン６４Ａ及び６４Ｂに横方向に分割されている。各レーンのローラは、中心線との間に異なる鋭角α，α’及びβ，β’をなす傾斜軸を中心として回転するように配置されている。好ましいバージョンでは、β＝−α且つβ’＝−α’である。図３Ｂに示されているように、ローラ３４の突出部６８は、ベルト６２の物品搬送表面３６及び裏面３７を超えて突出しているので、ローラ上を搬送される物品７０は、力７２によって推進される。この力は、ベルトが輸送方向に進行するに従い下地のベアリング表面７４に沿って回転するローラによって生起される。図３Ａに示されているように、ベルトの左レーン６４Ａ内の物品７０Ａは、ベルトの最左側ローラの軸に概ね直交する傾斜した力ベクター７２Ａによって影響される。この力ベクターは、横方向成分を持ち、物品をベルトの他方の側に追いやる。結局、物品７０Ａ’は、ローラ軸が中心線から大きな角度β’に配置されたベルトの左レーン内のローラ上を押される。このことは、力７２Ａ’を、よりベルト移動の方向２６に向ける。右レーン６４Ｂ内のローラは、左レーン内のローラを反映するように概ね配置されているので、ベルト上を搬送される物品は、鏡像的な力ベクターによって中心線に向けて追いやられる。物品が中心線に接近すると、それらは、よりベルト移動の方向２６に加速されて、より大きな縦方向分離を達成する。かくして、このようなベルトを使用したコンベヤは、物品の大量の流れを互いに分離された個別部品のストリームに変換する。
【００１５】
図３Ａの１又は複数のコンベヤベルトは、図５Ａに模式的に表現されている。矢印は、ベルトの上を搬送される物品に作用する力ベクター７２の方向を表わしている。これらのベクターは、各レーン内のローラの軸に直交して描かれている。ベルトの所定のベルト行又は横方向トラバースに対し、ローラの方位は、関数α（ｗ）によって記述される。図５Ａによって表現されたローラ構成を持つベルトに対し、関数α（ｗ）は、図５Ｂにグラフ化されている。図４に示された規則によって、ローラの軸７４は、ベルトの中心線６６に関して鋭角を形成する。鋭角（＋α）が中心線から時計方向７６に測定される場合、その角度αは、正の角度と定義される。鋭角（−α）が中心線から反時計方向７７に測定される場合、その角度αは、負の角度と定義される。この規則の下で、図５Ａのベルトに対応する関数α（ｗ）は、図５Ｂのグラフによって与えられる。図５Ｂの水平軸は、ベルトの幅Ｗを横切る横方向位置ｗである。中心線がｗ＝０となるように任意に選ばれる場合、ベルトは−Ｗ／２から＋Ｗ／２へと延びる。垂直軸は、図４Ａのように中心線に関して測定されたローラの軸の角度を表す。図５Ｂに示されているように、ベルトの左側のローラ軸角度は、それらが中心線に近い縦方向列６５Ａ内で約−６０°へジャンプするまで、約−３０°の第１鋭角で互いに並行している。中心線を超えて右方向に移動すると、角度は約＋６０°へジャンプし、それからベルトの右側に近い縦方向列６５Ｂ内で約＋３０°へ変化する。この例では、αはｗの奇関数、即ちα（ｗ）＝−α（−ｗ）である。鋭角の絶対値、即ち大きさ｜α（ｗ）｜は、図５Ｃにグラフ化されている。これは、ローラ軸の角度の大きさが、この例では、ベルトの各側から中心線に向かう距離に応じて単調に増加することを示している。
【００１６】
図６Ａ及び６Ｂは、被搬送物品を２つの横方向に離隔された出口ポイント７８，７９へ向けるコンベヤを表現している。図６Ａに表現されたコンベヤは、単一のベルト又は１より多いベルトからなる。例えば、それは、図３Ａのように平行に隣接した２つの単一ベルトによって作られて、連続した頂部搬送表面をキャリーウエイに沿って形成する。この場合、関数α（ｗ）は、図６Ｂに示されているように、コンベヤの幅を横切ってそれ自身を繰り返す。勿論、同様に配置されたローラのレーンをより多く追加することによって、２より多い出口ポイントを作ることができる。
【００１７】
図７Ａ及び７Ｂは、コンベヤの幅を横切る３つの異なる軸方向を中心として回転するようにローラが配置されたコンベヤを表現している。角度関数α（ｗ）は、ベルトの左側からの距離に応じて−９０°に近づくので、これは、物品をベルトの右側（そこで物品は次第に縦方向に分離される）に追いやるベルトを表現している。そのようなベルトは、物品が側部から落下しないようにする右側レールを有することが好ましい。
【００１８】
この発明は、好ましい数バージョンに関して詳細に説明されたが、他のバージョンも可能である。例えば、より多くのレーンがコンベヤの幅を横切って形成され得る。また、レーンからレーンへのローラ軸角度の段差の大きさは、小さくできる。あるベルト構成は、縦方向に整列されたローラを異なる軸角度で、特に１つの角度付けされたグループからもう１つの角度付けされたグループへの遷移点に有して、煉瓦積みパターンのベルト構成をより単純にすることができる。別の例では、コンベヤベルトは静止し、動的ベアリング表面、例えば平坦ベルトやモジュール式摩擦トップベルトを有する。この動的ベアリング表面は、ベルトに対し輸送方向に進行してローラを作動し、ローラ上の被搬送物品を推進する。それ故、これらの数例が示唆するように、発明の範囲は、詳細に説明された好ましいバージョンに限定されることを意図されてはいない。
【図面の簡単な説明】
【００１９】
【図１】発明の特徴を具体化したコンベヤの切断描画図である。
【図２】図１のようなコンベヤで使用可能なベルトモジュールの数行の等角図である。
【図３Ａ】キャリーウエイに沿った図１のコンベヤの一部分の上面模式的表現図である。
【図３Ｂ】図３Ａのコンベヤ表現の立前面模式図である。
【図４】図１のようなコンベヤにおけるローラの動作を説明することに使用されるローラ軸角度規則の幾何学的表現図である。
【図５Ａ】図２に描かれたコンベヤのローラによって与えられる力ベクターの上面表現図である。
【図５Ｂ】図２に描かれたコンベヤの幅を横切る横方向位置の関数としてのローラ軸角度αのグラフである。
【図５Ｃ】図５Ｂのローラ軸角度αの大きさのグラフである。
【図６Ａ】コンベヤの幅を横切る物品の２つのストリームを持つ図１のようなコンベヤのもう１つのバージョンにおける力ベクターの上面表現図である。
【図６Ｂ】コンベヤの幅を横切る横方向位置の関数としてのローラ軸角度αのグラフである。
【図７Ａ】コンベヤの一方の側に沿って整列された物品の１つのストリームを持つ図１のようなコンベヤのもう１つのバージョンにおける力ベクターの上面表現図である。
【図７Ｂ】コンベヤの幅を横切る横方向位置の関数としてのローラ軸角度αのグラフである。
【符号の説明】
【００２０】
１０              コンベヤ
１２              無端コンベヤベルト
１４              ドライブスプロケットセット
１５              アイドラスプロケットセット
１６              コンベヤの出口端
１７              コンベヤの入口端
１８              シャフト
２０              ローラベアリング
２２              駆動モータ
２４              歯
２６              移動の方向
２８              上側キャリーウエイ
３０              キャリーウエイパン
３２              ウエアストリップ
３４              ローラ
３６，３６’      軸
３７              裏面
３８              ローラ
４２              第１の側部
４３              第２の側部
６２              コンベヤベルト
６４Ａ、６４Ｂ    縦方向レーン
６６              縦方向中心線
６８              突出部
７０，７０Ａ、７０Ａ’
物品
７２、７２Ａ、７２Ａ’
力
７４              ベアリング表面７４
【図１】
0005475989.tif 000002
【図２】
0005475989.tif 000003
【図３Ａ】
0005475989.tif 000004
【図３Ｂ】
0005475989.tif 000005
【図４】
0005475989.tif 000006
【図５Ａ】
0005475989.tif 000007
【図５Ｂ】
0005475989.tif 000008
【図５Ｃ】
0005475989.tif 000009
【図６Ａ】
0005475989.tif 000010
【図６Ｂ】
0005475989.tif 000011
【図７Ａ】
0005475989.tif 000012
【図７Ｂ】
0005475989.tif 000013